(57)【要約】      （修正有）【課題】タッチ式イメージ取得変換装置を提供する。【解決手段】タッチ式イメージ取得変換装置は、殻体１１と、ホルダー挿入溝１２と、タッチスクリーン１４と、起動スイッチ１３とより成る。そのうち、殻体１１は、密閉式の設計であり、ホルダー挿入溝１２は、該殻体両相対側に貫通するよう形成され、且つ外部のホルダー２を挿入させ、起動スイッチ１３は、殻体前側面に設置され、タッチスクリーン１４は、殻体上表面に設けられる。使用上、該起動スイッチをオンにし、タッチスクリーン１４を起動させ、タッチスクリーン１４の選択項目の操作を介し、イメージ取得レンズ１１１が該ホルダーのパターンを撮影し、発生するデジタルファイルを調整することができ、このタッチスクリーン１４の選択操作を介して、該レンズが取得するデジタルファイルの表現方式を調整することができる。【選択図】図４
0003161685.tif 000002
【実用新案登録請求の範囲】
【請求項１】
選択項目をタッチ式操作することによりデジタルファイルの表現方式を調整させ、
内部にイメージ取得レンズを設ける殻体と、
該殻体の両相対側に貫通するように形成されるホルダー挿入溝と、
パターンを挟み設け、該ホルダー挿入溝を挿入し、該パターンを該殻体内部に送り込み、
選択項目をタッチ式操作することにより該イメージ取得レンズが撮影した該パターンが発生するデジタルファイルの表現方式を調整させるタッチスクリーンと、
該殻体上に設けられる起動スイッチであり、該起動スイッチをオンとし、タッチスクリーンを起動することができる起動スイッチと、
を含むタッチ式イメージ取得変換装置。
【請求項２】
タッチ式操作ペンを添付し有する請求項１に記載のタッチ式イメージ取得変換装置。
【請求項３】
前記殻体がＵＳＢスロットを有する請求項１に記載のタッチ式イメージ取得変換装置。
【請求項４】
前記殻体がＳＤカードスロットを有する請求項１に記載のタッチ式イメージ取得変換装置。
【請求項５】
前記タッチスクリーンは、該殻体の上表面に設けられる請求項１に記載のタッチ式イメージ取得変換装置。
【請求項６】
前記起動スイッチは、該殻体の前端面に設けられる請求項１に記載のタッチ式イメージ取得変換装置。
【請求項７】
更に、伝送インタフェースを含む請求項１に記載のタッチ式イメージ取得変換装置。
【請求項８】
更に、電池蓋を含む請求項１に記載のタッチ式イメージ取得変換装置。
【考案の詳細な説明】
【技術分野】
【０００１】
本考案は、タッチ式イメージ取得変換装置に関し、特に、選択項目のタッチ操作を提供するタッチ式イメージ変換装置に関する。
【背景技術】
【０００２】
よく見るイメージ取得変換装置の主要な効果は、写真、フイルム又はイメージをデジタルファイルとして撮影保存し、使用者に長期の収容保存をさせることにある。しかしながら、一般に該イメージを取得する時、往々にして第１時間内に該イメージの欠陥を発見することができず、例えば、デジタルカメラを用いて撮影したイメージは、当時満足していたとしても、該イメージ取得変換装置に入力した後、某イメージ中に一部の物件に対して不満があり、該イメージを破棄する可能性がある。
【０００３】
また、従来のイメージ取得変換装置により異なる環境で撮影したイメージは、該環境の明度により撮影時の品質の判断の誤りを引き起こす可能性があり、例えば、撮影の視角、反射光又は鮮明度等が影響を受け、且つ撮影したイメージが再度再生することができない。
【先行技術文献】
【特許文献】
【０００４】
【特許文献１】特開２００６−２６０４２４号公報
【考案の概要】
【考案が解決しようとする課題】
【０００５】
上記の要求に鑑み、考案者は、研究に精進し、該技術分野の多年の経験に基づき、新たなタッチ式イメージ取得変換装置を考案するものである。
【０００６】
本考案の目的は、選択項目をタッチ式操作し、該イメージ取得レンズが撮影したパターンが発生するデジタルファイルを調整する表現方式を提供することである。
【課題を解決するための手段】
【０００７】
上記目的を達成する為、本考案が提供するタッチ式イメージ取得変換装置は、殻体と、ホルダー挿入溝と、タッチスクリーンと、起動スイッチと、を含み、そのうち、殻体は、密閉式の設計であり、ホルダー挿入溝は、該殻体両相対側に貫通するよう形成され、且つ外部のホルダーを挿入させ、起動スイッチは、殻体前側面に設置され、タッチスクリーンは、殻体上表面に設けられる。
本考案は下記の特徴を有する。
（１）選択項目をタッチ式操作することによりデジタルファイルの表現方式を調整させ、
内部にイメージ取得レンズを設ける殻体と、
該殻体の両相対側に貫通するように形成されるホルダー挿入溝と、
パターンを挟み設け、該ホルダー挿入溝を挿入し、該パターンを該殻体内部に送り込み、
選択項目をタッチ式操作することにより該イメージ取得レンズが撮影した該パターンが発生するデジタルファイルの表現方式を調整させるタッチスクリーンと、
該殻体上に設けられる起動スイッチであり、該起動スイッチをオンとし、タッチスクリーンを起動することができる起動スイッチと、
を含むタッチ式イメージ取得変換装置。
（２）タッチ式操作ペンを添付し有する（１）に記載のタッチ式イメージ取得変換装置。
（３）前記殻体がＵＳＢスロットを有する（１）に記載のタッチ式イメージ取得変換装置。
（４）前記殻体がＳＤカードスロットを有する（１）に記載のタッチ式イメージ取得変換装置。
（５）前記タッチスクリーンは、該殻体の上表面に設けられる（１）に記載のタッチ式イメージ取得変換装置。
（６）前記起動スイッチは、該殻体の前端面に設けられる（１）に記載のタッチ式イメージ取得変換装置。
（７）更に、伝送インタフェースを含む（１）に記載のタッチ式イメージ取得変換装置。
（８）更に、電池蓋を含む（１）に記載のタッチ式イメージ取得変換装置。
【考案の効果】
【０００８】
使用上、該起動スイッチをオンにし、タッチスクリーンを起動させ、タッチスクリーンの選択項目の操作を介し、イメージ取得レンズが該ホルダーのパターンを撮影し、発生するデジタルファイルを調整することができ、このタッチスクリーンの選択操作を介して、該レンズが取得するデジタルファイルの表現方式を調整することができる。
【図面の簡単な説明】
【０００９】
【図１】本考案の実施例の立体外観説明図である。
【図２】本考案の実施例の背面図である。
【図３】本考案の実施例の説明図１である。
【図４】本考案の実施例の説明図２である。
【図５】本考案の他の実施例の説明図である。
【考案を実施するための形態】
【００１０】
本考案の使用方式及び外観構造等は、以下に実施方式及び図面を用いて詳細を説明する。
【００１１】
図１は、本考案の立体外観説明図である。本考案のタッチ式イメージ取得装置１は、殻体１１と、ホルダー挿入溝１２と、起動スイッチ１３と、タッチスクリーン１４と、を含み、そのうち、殻体１１は、密閉式の設計であり、ホルダー挿入溝１２は、該殻体１１の両相対側に貫通するよう形成され、且つ地面に垂直な直立式設計であり、例えば、左右又は前後両側であり（これに限定するものではない）、且つ外部のホルダー２を対応挿入設置する溝状体を形成する。該ホルダー２は、パターンを挟み設けることに用いることができ、該ホルダー挿入溝１２に貫通設置され、且つ該パターンを該殻体内部に送り込む。該起動スイッチ１３及び該タッチスクリーン１４は、該殻体１１上に設けられる。前記殻体１１内に光源ユニット（図示せず）を設置することができ、イメージ取得の過程において、この光源ユニットの照射を介して取得待ちのパターンを表現することができる。
【００１２】
図２は、本考案の実施例の背面図である。タッチ式イメージ取得変換装置１の公報に電池蓋１６及び伝送インタフェース１７を設置する。電池蓋１６中に電池（図示せず）、例えば、リチウム電池等を実装することができ、タッチ式イメージ取得変換装置１が必要とする電力を提供し、携帯に便利に使用できる。タッチ式イメージ取得装置１の伝送インタフェース１７は、例えば、ＵＳＢ及びイメージ伝送ポート等を含み、データ伝送及びイメージ出力の機能を有する。
【００１３】
図３は、本考案の実施例の説明図１であり、図４は、本考案の実施例の説明図２である。使用上、先ず、該起動スイッチ１３をオンとし、パターンを挟み設けたホルダー２を該ホルダー挿入溝１２の一端から殻体１１内に挿入し、ホルダー挿入溝１２の他端から殻体１１に貫通し、この貫通設置の過程において、該ホルダー２が挟みも受けるパターンは、殻体１１内のイメージ取得レンズ１１１で撮影し、デジタルファイルに変換しタッチスクリーン１４に表示する。殻体１１内に光源ユニット（図示せず）を設置でき、イメージ取得の過程において、この光源ユニットの照射を介して取得したパターンを表現することができる。このタッチスクリーン１４は、タッチセンサ装置であり、デジタルタッチ選択項目を表示し、即ち、人が該選択項目をタッチすることにより取得したデジタルファイルを選択的に修正、選択又は編集でき、例えば、手の動きでイメージの大きさ、視角、明度、配列の組み合わせ等を調整し、又は、例えば、イメージ中に様式を添加したり、イメージ部分を削除したりする。
【００１４】
図５は、本考案の他の実施例の説明図である。該殻体１１は、挿入溝１５を設け、外部のＳＤカードを挿入させることができ、この挿入溝１５を介してＳＤカード３中のデジタルファイルをタッチスクリーン１４上に伝送することができ、タッチスクリーン１４から直接ファイルを調整し、例えば、デジタルカメラ、携帯電話又はその他のマルチメディアが撮影したデジタルファイル等は、何れもこの種の方式でタッチスクリーン１４に伝送することができる。また、該挿入溝１５は、ＵＳＢのスロットであることができる。
【００１５】
本考案の他の実施例は、タッチ式操作ペンを含むことができ、この操作ペンは、使用者が直接手部でタッチスクリーン１４にタッチすることに取って代わることができ、手部が該タッチスクリーンを汚すことを低減する。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１７】
１  タッチ式イメージ取得変換装置
１１  殻体
１１１  イメージ取得レンズ
１２  ホルダー挿入溝
１３  起動スイッチ
１４  タッチスクリーン
１５  挿入溝
１６  電池蓋
１７  伝送インタフェース
２  ホルダー
３  ＳＤカード
【図１】
0003161685.tif 000003
【図２】
0003161685.tif 000004
【図３】
0003161685.tif 000005
【図４】
0003161685.tif 000006
【図５】
0003161685.tif 000007